(57)【要約】【課題】  通常視聴するチャンネルが決っている視聴者にとってもその嗜好を判定して嗜好に会った番組があった場合、視聴者に知らせることを可能としたデジタル放送受信装置を提供する。【解決手段】  放送コンテンツ及び番組情報を含む放送信号を受信する受信手段と、放送信号から番組情報を抽出する番組情報抽出手段と、少なくとも過去の視聴履歴、予め設定された番組のジャンル及びキーワードのいずれかを含む選択情報を記憶する記憶手段と、選択情報を用いて番組情報抽出手段で抽出した番組情報から特定の番組を選択する選択手段とを有する。番組情報から少なくともチャンネル単位、時間単位及びジャンル単位のいずれかの単位で番組表を表示する第１の表示と、選択手段で選択された特定の番組を番組表として表示する第２の表示と、第１の表示手段と前記第２の表示手段を切り替える表示切替手段とを切り替える。【選択図】  図１
2005277536.tif 000002
【特許請求の範囲】
【請求項１】
放送される少なくとも映像、音声及びデータのいずれかを含むコンテンツ及び前記コンテンツの関連する情報である番組情報を含む放送信号を受信する受信手段と、
前記受信手段で受信した前記放送信号から前記番組情報を抽出する番組情報抽出手段と、
少なくとも過去の視聴履歴、予め設定された番組のジャンル及びキーワードのいずれかを含む選択情報を記憶する記憶手段と、
前記選択情報を用いて前記番組情報抽出手段で抽出した前記番組情報から特定の番組を選択する選択手段と、
前記番組情報から少なくともチャンネル単位、時間単位及びジャンル単位のいずれかの単位で番組表を表示する第１の表示手段と、
前記選択手段で選択された特定の番組を番組表として表示する第２の表示手段と、
前記第１の表示手段と前記第２の表示手段を切り替える表示切替手段と、
前記第１の表示手段と前記第２の表示手段の切り替えを促すための警告表示手段と、
前記表示手段の表示を制御する表示制御手段を具備することを特徴とするデジタル放送受信装置。
【請求項２】
前記第１の表示手段の表示方法は予め表示設定したチャンネルのみを表示することを特徴とする請求項１記載のデジタル放送受信装置。
【請求項３】
前記表示制御手段は、前記表示切替手段により前記第１の表示手段で表示するように制御している状態で、前記選択手段で選択された特定の番組がある場合に前記警告表示手段により前記第１の表示手段から前記第２の表示手段に切り替えるように制御することを特徴とする請求項１のデジタル放送受信装置。
【請求項４】
番組の視聴予約情報を記憶する予約情報記憶手段を備え、前記表示制御手段は、前記表示切替手段により前記第１の表示手段で表示するように制御している状態で、前記選択手段で選択された前記特定の番組がある場合に、前記予約情報記憶手段に前記第１の表示手段で表示されているチャンネルと時間帯で予約情報がない場合に前記警告表示手段に表示させるように制御することを特徴とする請求項１のデジタル放送受信装置。
【発明の詳細な説明】
【技術分野】
【０００１】
本発明は、デジタル放送受信装置に関する。
【背景技術】
【０００２】
デジタル放送を受信するためのデジタル放送受信装置では、表示画面にＥＰＧ（電子番組表）画面を表示して、番組情報を確認することができるようになっている。しかしながら番組数の増加或いは表示すべき画面サイズの制限、フォントサイズの大きさの制限のために、数チャンネル或いは数時間分の番組情報しか表示画面に表示できない。したがってユーザは画面上に表示された番組情報をページめくりやスクロールするなどの操作をすることで全チャンネル分の表示を確認しなければならないという煩わしさがある。
【０００３】
このような表示方法では、お気に入りのチャンネルや番組を確認するために何度もページめくりやスクロールを行わなければならず視聴者の利便性を欠いていた。
【０００４】
そこで、よく見そうな番組情報を優先的に表示するものとして、過去の視聴履歴と番組情報中のキーワードを比較して、視聴者の嗜好にあった番組表を提供する方法が開示されている（特許文献１参照）。
【特許文献１】特開平１０−３２７９７号公報
【発明の開示】
【発明が解決しようとする課題】
【０００５】
視聴履歴やキーワードをもとに視聴者の嗜好を判定して番組表を表示する方法では、元になる番組情報の情報量が少ないとうまくヒットしない場合がある。また、通常視聴するチャンネルが決っている視聴者にとっては、かえって煩わしくなる場合がある。
【０００６】
本発明は、上記問題に鑑みてなされたもので、通常視聴するチャンネルが決っている視聴者にとってもその嗜好を判定して嗜好に会った番組があった場合、視聴者に知らせることを可能としたデジタル放送受信装置を提供することを目的とする。
【課題を解決するための手段】
【０００７】
上記目的を達成するために、本発明は、放送される少なくとも映像、音声及びデータのいずれかを含むコンテンツ及び前記コンテンツの関連する情報である番組情報を含む放送信号を受信する受信手段と、
前記受信手段で受信した前記放送信号から前記番組情報を抽出する番組情報抽出手段と、
少なくとも過去の視聴履歴、予め設定された番組のジャンル及びキーワードのいずれかを含む選択情報を記憶する記憶手段と、
前記選択情報を用いて前記番組情報抽出手段で抽出した前記番組情報から特定の番組を選択する選択手段と、
前記番組情報から少なくともチャンネル単位、時間単位及びジャンル単位のいずれかの単位で番組表を表示する第１の表示手段と、
前記選択手段で選択された特定の番組を番組表として表示する第２の表示手段と、
前記第１の表示手段と前記第２の表示手段を切り替える表示切替手段と、
前記第１の表示手段と前記第２の表示手段の切り替えを促すための警告表示手段と、
前記表示手段の表示を制御する表示制御手段を具備することを特徴とするデジタル放送受信装置を提供する。
【０００８】
このとき、前記第１の表示手段の表示方法は予め表示設定したチャンネルのみを表示してもよい。
【０００９】
また、前記表示制御手段は、前記表示切替手段により前記第１の表示手段で表示するように制御している状態で、前記選択手段で選択された特定の番組がある場合に前記警告表示手段により前記第１の表示手段から前記第２の表示手段に切り替えるように制御してもよい。
【００１０】
また、番組の視聴予約情報を記憶する予約情報記憶手段を備え、前記表示制御手段は、前記表示切替手段により前記第１の表示手段で表示するように制御している状態で、前記選択手段で選択された前記特定の番組がある場合に、前記予約情報記憶手段に前記第１の表示手段で表示されているチャンネルと時間帯で予約情報がない場合に前記警告表示手段に表示させるように制御してもよい。
【発明の効果】
【００１１】
通常は、自身が選択したチャンネルを優先して表示し、その中で視聴予約などが行われていない場合には、嗜好情報をもとにした番組表を提示することで、普段視聴しないチャンネルで特別に嗜好にあった場合などにも見逃す確率が低くなる。
【発明を実施するための最良の形態】
【００１２】
以下、本発明の好ましい実施の形態について図面を用いて説明する。なお、本発明は以下に挙げる実施形態に限定されるものではなく、種々組み合わせて用いることができる。
【００１３】
（実施例１）
図１は第１の実施例における受信装置１０１のブロック図である。
【００１４】
この受信装置は、チューナ部１０２、映像音声処理部１０３、表意処理部１０４、ＥＰＧ表示情報再生部１０５、嗜好判定部１０６、メモリ１０７、入力手段１０８及びモニタ１０９を有している。
【００１５】
図１に示す受信装置１０１において、衛星放送や地上波放送もしくはＣＡＴＶ等の放送波をチューナ１０２で受信し、入力手段１０８で入力されるチャンネルを選局する。選局されたチャンネルの信号は映像音声処理部１０３で復号化されて表示処理部１０４での処理後、モニタ１０９に選局した番組が表示される。
【００１６】
また、放送信号に多重されている番組情報（番組のタイトルや出演者、内容等の番組に関する情報）は分離されてＥＰＧ情報生成部１０５や嗜好判定処理部１０６に入力される。ＥＰＧ情報生成部１０５では入力された番組情報をもとに受信装置のモニタ１０９上に表示するための番組表を作成する処理が行われる。
【００１７】
たとえば図２はＥＰＧ情報生成部１０５で作成され、モニタ１０９で表示される番組表の表示例であり、横軸にチャンネル、縦軸に時間をとって格子状に表示した番組表になっている。
【００１８】
さらに図２に示す番組表は、基本的に視聴する番組のみを表示するようにして選択を容易にするために、入力手段１０８により、優先的に表示したいチャンネルを事前に選択したマイＥＰＧ画面の例として示している。。
【００１９】
この画面は表示処理部１０４で番組映像と切り替えて表示したり、番組映像重ね合わせて表示するＯＳＤ（オンスクリーンディスプレイ）表示で表示される。
【００２０】
メモリ１０７は視聴予定の番組の予約情報や番組の視聴履歴、番組選択を容易にするためのキーワードが記憶されるメモリであり、記憶されるキーワードにはジャンル情報等の事前に設定されているものや出演者の名前等入力手段１０８から視聴者が新たに設定されるものがある。
【００２１】
さらに、このメモリ１０７には、視聴者が過去に視聴した番組の履歴や番組予約の情報なども記憶され、嗜好判定処理部１０６で処理を行うための情報として利用される。
【００２２】
これらの情報を記憶しているメモリ１０７からの情報と放送波から抽出した番組情報を入力とした嗜好判定処理部１０６は視聴者が過去に見た番組や入力されているキーワードから視聴者が見るかもしれないと思われる番組を選択する。たとえば、過去にプロ野球をよく見ていれば、関連する番組をピックアップし、キーワードで特定のタレント名などが指定されていればそのタレントが出演する番組をピックアップするということが行われる。
【００２３】
この嗜好判定処理１０６の制御により、たとえばＥＰＧ情報生成１０５でおすすめ番組の番組表を生成して表示処理１０４を通じてモニタ１０９上に表示するというようなことができる。
【００２４】
この嗜好判定処理部１０６の制御にはいくつかの方法があり、その一例を示す。たとえば、図２のように、視聴者がみたいと思っている番組のみを表示するような表示方法（第１の表示）にしている場合には、表示可能なチャンネル以外でおすすめ番組がある場合のみおすすめ番組（第２の表示）へといった誘導のためのアイコンを表示し、それ以外の時はこれを表示しないようにすることで、視聴者にとって余分手間をかけることなく、表示設定しているチャンネル以外で特別番組等で普段視聴するような番組が行われる時だけ通知されることになる。
【００２５】
このような制御において図３のようなおすすめ番組画面で番組５０１を選択し、もとの画面に戻るとたとえば、図４のように一部が選択した番組を表示する様な表示に変わる。
【００２６】
また、図５のようにすでに視聴の予約や録画の予約を行っている場合にはたとえば予約済みである旨を表示し、おすすめ番組の表示ではたとえ９時台、１０時台におすすめ番組があっても、予約済みになっていない８時台のみ表示する（図６）ことにより、特にみたい番組が無いような時間帯では自身が普段見ないチャンネルでみたいと思えるような番組に出会うことができる可能性が増える。
【００２７】
このように、視聴履歴やキーワードなどに基づいたおすすめ番組を一意に表示するのでは無く、視聴者が表示している番組表の状態を考慮して、表示対象外のチャンネルや視聴予約等を行っていない（あまり見る番組がない）時間帯にあれば、おすすめがありますのでチェックして下さいという表示をすることで、視聴者にうるさがられず、かつ見逃しの少ない番組選択を行わせることができる。
【００２８】
このように本発明によれば、自身が選択したチャンネルを優先して表示し、その中で視聴予約などが行われていない場合には、嗜好情報をもとにした番組表を提示することで、チャンネル数が多くなっても、普段視聴しないチャンネルで特別に嗜好にあった場合なども見逃す確率が低くなる。
【図面の簡単な説明】
【００２９】
【図１】第１の実施例における受信装置のブロック図
【図２】第１の実施例における画面表示の例
【図３】第１の実施例における画面表示の例
【図４】第１の実施例における画面表示の例
【図５】第１の実施例における画面表示の例
【図６】第１の実施例における画面表示の例
【符号の説明】
【００３０】
１０１・・・デジタル放送受信装置
１０２・・・チューナ
１０３・・・映像音声処理部
１０４・・・表示処理部
１０５・・・ＥＰＧ表示情報生成部
１０６・・・嗜好判定部
１０７・・・メモリ
１０８・・・入力手段
１０９・・・モニタ
【図１】
2005277536.tif 000003
【図２】
2005277536.tif 000004
【図３】
2005277536.tif 000005
【図４】
2005277536.tif 000006
【図５】
2005277536.tif 000007
【図６】
2005277536.tif 000008